(57)【要約】【課題】複数の撮影装置で撮影した撮影画像を撮影順に並べることが可能な画像処理装置及び画像処理方法を提供することを目的とする。【解決手段】同時に同一の被写体を撮影することによって基準撮影画像を含む複数の撮影画像をパーソナルコンピュータのＨＤＤに記憶する。そして、ＨＤＤに記憶された撮影画像から基準撮影画像（撮影対象Ａの写真）を検索して、予め定めた基準のデジタルカメラ（カメラＡの撮影画像）で撮影した基準撮影画像の撮影時刻に、他のデジタルカメラで撮影した基準撮影画像の時刻を合わせると共に、基準のデジタルカメラで撮影した基準撮影画像の時刻と、他のデジタルカメラで撮影した基準撮影画像の時刻との時刻修正量（時刻差）に応じて、他の撮影画像の時刻を修正する。【選択図】図５
2009088677.tif 000002
【特許請求の範囲】
【請求項１】
複数の撮影装置によって予め定めた被写体を撮影することによって得られる基準撮影画像を含む撮影時刻が付加された複数の撮影画像を記憶する記憶手段と、
前記記憶手段に記憶された前記複数の撮影画像の中から前記基準撮影画像を検索する検索手段と、
前記検索手段によって検索された前記基準撮影画像の撮影時刻を抽出し、予め定めた基準撮影装置で撮影した前記基準画像の撮影時刻と他の撮影装置で撮影した前記基準画像の撮影時刻との時刻差を算出する算出手段と、
前記基準撮影装置で撮影した前記基準画像の撮影時刻に他の撮影装置で撮影した前記基準画像の撮影時刻を修正すると共に、前記算出手段によって算出された前記時刻差に応じて前記記憶手段に記憶された各撮影画像の撮影時刻を修正する修正手段と、
を備えた撮影画像処理装置。
【請求項２】
前記修正手段は、撮影時刻を修正する際に、修正前の撮影時刻も保存することを特徴とする請求項１に記載の撮影画像処理装置。
【請求項３】
複数の撮影装置によって予め定めた被写体を撮影することによって得られる基準撮影画像を含む撮影時刻が付加された複数の撮影画像を記憶する記憶手段に記憶された前記複数の撮影画像の中から前記基準撮影画像を検索する検索ステップと、
前記検索ステップで検索した前記基準撮影画像の撮影時刻を抽出し、予め定めた基準撮影装置で撮影した前記基準画像の撮影時刻と他の撮影装置で撮影した前記基準画像の撮影時刻との時刻差を算出する算出ステップと、
前記基準撮影装置で撮影した前記基準画像の撮影時刻に他の撮影装置で撮影した前記基準画像の撮影時刻を修正すると共に、前記算出ステップで算出した前記時刻差に応じて前記記憶手段に記憶された各撮影画像の撮影時刻を修正する修正ステップと、
を含む撮影画像処理方法。
【請求項４】
前記修正ステップは、撮影時刻を修正する際に、修正前の撮影時刻も保存することを特徴とする請求項３に記載の撮影画像処理方法。
【発明の詳細な説明】
【技術分野】
【０００１】
本発明は、撮影画像処理装置及び撮影画像処理方法にかかり、特に、デジタルカメラ等の撮影装置によって撮影することによって得られる撮影画像の時刻を修正する撮影画像処理装置及び撮影画像処理方法に関する。
【背景技術】
【０００２】
デジタルカメラ等の撮影装置には、撮影画像の日時を記録するために時計を備えており、該時計の設定日時が撮影画像に付与されるようになっている。
【０００３】
撮影装置に設けられた時計に関する技術としては、例えば、特許文献１〜４に記載の技術等が提案されている。
【０００４】
特許文献１に記載の技術では、電池残量や時計駆動総時間等から判断した外部のデバイスの時刻情報の正確度及び時刻情報と、自身の持つ時刻情報の正確度及び時刻情報と、を用いて比較し、時刻情報が正確であるデバイスの時刻情報に自身の持つ時刻情報を修正することが提案されている。
【０００５】
特許文献２に記載の技術では、複数のカメラと、これら複数のカメラで撮影された複数の映像時間軸を揃える情報処理装置と、が提案されており、具体的には、情報処理装置の時計を用いてカメラの時計を修正し、修正量に応じて撮影画像の時刻情報を修正することが記載されている。
【０００６】
特許文献３に記載の技術では、クレードルでＧＰＳ情報を受信して、時刻情報を抽出し、抽出した時刻情報をデジタルカメラへ送信して、時刻を修正することが提案されている。
【０００７】
特許文献４に記載の技術では、外部機器からの時刻情報を受信して、内蔵時計の時刻を修正することが提案されている。
【特許文献１】特開２００３−１６１７９１号公報
【特許文献２】特開２００３−７８８６４号公報
【特許文献３】特開２００５−１４７８８５号公報
【特許文献４】特開２００６−２５０６３８号公報
【発明の開示】
【発明が解決しようとする課題】
【０００８】
しかしながら、特許文献１に記載の技術では、時刻の正確度は時々刻々と変化するため、３台以上の撮影装置同士で時刻合わせをする際に、全て同時刻にならない可能性がある。
【０００９】
また、特許文献２に記載の技術では、時計が正常動作している機器と接続しないと意味を成さない、という問題がある。
【００１０】
また、特許文献３に記載の技術では、クレードルに接続しないで長時間放置した場合には時刻が狂ってしまうことが考えられる。
【００１１】
さらに、特許文献４に記載の技術では、どの機器が正確な時刻を持っているのか判断することができない、という問題がある。
【００１２】
一方、撮影装置の持つ時刻が間違っていると、グループで撮影を行って、撮影画像を持ち寄る際に、撮影時刻順序がばらばらになり、時系列に撮影画像を並べることができなくなってしまう。
【００１３】
本発明は、上記事実を考慮して成されたもので、複数の撮影装置で撮影した撮影画像を撮影順に並べることが可能な撮影画像処理装置及び撮影画像処理方法を提供することを目的とする。
【課題を解決するための手段】
【００１４】
上記目的を達成するために請求項１に記載の撮影画像処理装置は、複数の撮影装置によって予め定めた被写体を撮影することによって得られる基準撮影画像を含む撮影時刻が付加された複数の撮影画像を記憶する記憶手段と、前記記憶手段に記憶された前記複数の撮影画像の中から前記基準撮影画像を検索する検索手段と、前記検索手段によって検索された前記基準撮影画像の撮影時刻を抽出し、予め定めた基準撮影装置で撮影した前記基準画像の撮影時刻と他の撮影装置で撮影した前記基準画像の撮影時刻との時刻差を算出する算出手段と、前記基準撮影装置で撮影した前記基準画像の撮影時刻に他の撮影装置で撮影した前記基準画像の撮影時刻を修正すると共に、前記算出手段によって算出された前記時刻差に応じて前記記憶手段に記憶された各撮影画像の撮影時刻を修正する修正手段と、を備えることを特徴としている。
【００１５】
請求項１に記載の発明によれば、記憶手段では、複数の撮影装置によって予め定めた被写体を撮影することによって得られる基準撮影画像を含む撮影時刻が付加された複数の撮影画像が記憶される。
【００１６】
検索手段では、記憶手段に記憶された複数の撮影画像の中から基準撮影画像が検索される。例えば、各撮影画像間の相関値等を求めることによって予め定めた被写体が撮影された基準撮影画像を検索することができる。
【００１７】
算出手段では、検索手段によって検索された基準撮影画像の撮影時刻が抽出され、予め定めた基準撮影装置で撮影した基準撮影画像の撮影時刻に他の撮影装置で撮影した撮影画像の撮影時刻が修正されると共に、算出手段によって算出された時刻差に応じて記憶手段に記憶された各撮影画像の撮影時刻が修正される。
【００１８】
すなわち、基準画像を撮影する際に複数の撮影装置で同時に撮影することによって、各撮影装置の撮影時刻が狂っていても予め定めた基準撮影装置の撮影時刻に他の撮影装置の撮影時刻を修正することができるので、複数の撮影装置で撮影した複数の撮影画像を撮影順に並べることが可能となる。
【００１９】
なお、修正手段は、請求項２に記載の発明のように、撮影時刻を修正する際に、修正前の撮影時刻も保存するようにしてもよい。
【００２０】
請求項３に記載の撮影画像処理方法は、複数の撮影装置によって予め定めた被写体を撮影することによって得られる基準撮影画像を含む撮影時刻が付加された複数の撮影画像を記憶する記憶手段に記憶された前記複数の撮影画像の中から前記基準撮影画像を検索する検索ステップと、前記検索ステップで検索した前記基準撮影画像の撮影時刻を抽出し、予め定めた基準撮影装置で撮影した前記基準画像の撮影時刻と他の撮影装置で撮影した前記基準画像の撮影時刻との時刻差を算出する算出ステップと、前記基準撮影装置で撮影した前記基準画像の撮影時刻に他の撮影装置で撮影した前記基準画像の撮影時刻を修正すると共に、前記算出ステップで算出した前記時刻差に応じて前記記憶手段に記憶された各撮影画像の撮影時刻を修正する修正ステップと、を含むことを特徴としている。
【００２１】
請求項３に記載の発明によれば、複数の撮影装置によって予め定めた被写体を撮影することによって得られる基準撮影画像を含む撮影時刻が付加された複数の撮影画像が記憶手段に記憶され、検索ステップでは、記憶手段に記憶された複数の撮影画像の中から基準撮影画像を検索する。例えば、各撮影画像間の相関値等を求めることによって予め定めた被写体が撮影された基準撮影画像を検索することができる。
【００２２】
算出ステップでは、検索ステップで検索した基準撮影画像の撮影時刻を抽出し、予め定めた基準撮影装置で撮影した基準撮影画像の撮影時刻に他の撮影装置で撮影した撮影画像の撮影時刻を修正すると共に、算出ステップで算出した時刻差に応じて記憶手段に記憶された各撮影画像の撮影時刻を修正する。
【００２３】
すなわち、基準画像を撮影する際に複数の撮影装置で同時に撮影することによって、各撮影装置の撮影時刻が狂っていても予め定めた基準撮影装置の撮影時刻に他の撮影装置の撮影時刻を修正することができるので、複数の撮影装置で撮影した複数の撮影画像を撮影順に並べることが可能となる。
【００２４】
なお、修正ステップは、請求項４に記載の発明のように、撮影時刻を修正する際に、修正前の撮影時刻も保存するようにしてもよい。
【発明の効果】
【００２５】
以上説明したように本発明によれば、予め定めた被写体を撮影することによって得られる基準撮影画像を検索して、基準撮影装置の基準撮影画像の撮影時刻に合わせて撮影画像の撮影時刻を修正するので、予め定めた被写体を同時に撮影することによって、複数の撮影装置で撮影した撮影画像を撮影順に並べることが可能となる、という効果がある。
【発明を実施するための最良の形態】
【００２６】
以下、図面を参照して本発明の実施の形態の一例を詳細に説明する。なお、本実施形態は、本発明をコンピュータシステムに適用したものである。
【００２７】
図１は、本発明の実施の形態に係わるコンピュータシステムの概略図であり、図２は、コンピュータの構成を示す図である。
【００２８】
本発明の実施の形態に係わるコンピュータシステム１０は、パーソナルコンピュータ１２にデジタルカメラ１４で撮影した撮影画像を取り込んで撮影画像に対して各種処理を行うものである。本実施の形態では、パーソナルコンピュータ１２は、撮影画像の撮影時刻を修正する処理を行う。
【００２９】
デジタルカメラ１４は、時計を備えた一般的なものを適用することができ、撮影画像に撮影時刻が付加される。
【００３０】
パーソナルコンピュータ１２は、図２（Ａ）に示すように、ＣＰＵ１６、ＲＯＭ１８、ＲＡＭ２０、ハードディスク（ＨＤＤ）２２、通信インタフェース（Ｉ／Ｆ）２４、キーボード２６、及びモニタ２８等がバス３０に接続された一般的な構成とされている。
【００３１】
通信Ｉ／Ｆ２４は、デジタルカメラ１４と接続して、デジタルカメラ１４で撮影することによって得られる撮影画像をＨＤＤ２２に記憶させるためのものであり、通信Ｉ／Ｆ２４は、例えば、ＵＳＢやブルートゥース等の各種通信方式を適用することができる。なお、本実施の形態では、通信Ｉ／Ｆ２４を介して撮影画像をＨＤＤ２２に記憶するものとして説明するが、これに限るものではなく、各種記憶媒体を介してＨＤＤ２２に撮影画像を記憶するようにしてもよいし、インターネット等の各種ネットワークを介してＨＤＤ２２に撮影画像を記憶するようにしてもよい。
【００３２】
また、ＨＤＤ２２には、オペレーティングシステム（ＯＳ）や各種アプリケーション等を実行するためのプログラムが記憶されている。本実施の形態では、撮影画像の撮影時刻を修正するための撮影画像処理プログラムがＨＤＤ２２に記憶されている。
【００３３】
ここで、撮影画像処理プログラムについて詳細に説明する。
【００３４】
撮影画像処理プログラムは、複数のデジタルカメラ１４で撮影することによって得られる撮影画像の撮影時刻を修正して、撮影画像を撮影順に並べることを可能にするプログラムである。
【００３５】
本実施の形態では、複数のデジタルカメラ１４で撮影を開始する際、あるいは、撮影中や撮影終了の際などのタイミングで、同時に同一の被写体を撮影することによって基準撮影画像を取得して、撮影終了後に複数のデジタルカメラ１４で撮影した撮影画像をパーソナルコンピュータ１２のＨＤＤ２２に設けたフォルダに記憶する。なお、基準撮影画像が複数のデジタルカメラ１４の撮影画像間の時刻を合わせる基準となる。
【００３６】
そして、ＨＤＤ２２に記憶された撮影画像から基準撮影画像を検索して、予め定めた基準のデジタルカメラ１４で撮影した基準撮影画像の撮影時刻に、他のデジタルカメラ１４で撮影した基準撮影画像の時刻を合わせると共に、基準のデジタルカメラ１４で撮影した基準撮影画像の時刻と、他のデジタルカメラ１４で撮影した基準撮影画像の時刻との時刻修正量（時刻差）に応じて、他の撮影画像の時刻を修正する。
【００３７】
さらに詳細には、撮影画像処理プログラムは、図２（Ｂ）に示すように、同一写真検索部３２、時刻差算出部３４、及び時刻修正部３６を含む機能を実行する。
【００３８】
同一写真検索部３２は、ＨＤＤ２２に記憶された撮影画像のうち、同一被写体の写真（基準撮影画像）を検索する。すなわち、本実施の形態では、撮影時に同一の被写体を同時に撮影した基準撮影画像があるのでこれを検索する。基準撮影画像の検索は、撮影画像の同士の相関値を求め、求めた相関値から同一の被写体か否かを判断することができる。
【００３９】
時刻差算出部３４は、同一写真検索部３２によって検索された基準撮影画像のうち、予め定めたデジタルカメラで撮影した基準撮影画像の撮影時刻と、他の各デジタルカメラで撮影した基準撮影画像の撮影時刻との時刻差をそれぞれ算出する。
【００４０】
時刻修正部３６は、同一写真検索部３２によって検索された基準撮影画像の撮影時刻を、予め定めたデジタルカメラ１４で撮影した基準撮影画像の撮影時刻を基準として、他のデジタルカメラ１４で撮影した基準撮影画像の撮影時刻を修正すると共に、他の撮影画像についても、時刻差算出部３４によって算出した時刻差に応じて修正してＨＤＤ２２に記憶する。
【００４１】
続いて、上述のように構成されたコンピュータシステム１０で行われる処理について説明する。図３は、本発明の実施の形態に係わるコンピュータシステム１０のパーソナルコンピュータ１２で行われる処理（撮影画像処理プログラム）の流れの一例を示すフローチャートである。
【００４２】
撮影画像処理プログラムが起動されると、まずステップ１００では、写真フォルダ集約済みか否か判定される。該判定は、複数のデジタルカメラ１４によって撮影した複数の撮影画像が予め定めたフォルダに既に集約されているか否かを判定し、該判定が肯定された場合にはステップ１０２へ移行し、否定された場合には撮影画像処理プログラムを終了する。なお、予め定めたフォルダに撮影画像が集約されていない場合には、撮影画像をフォルダに記憶してから撮影画像処理プログラムを実行する旨を表すメッセージを表示するようにしてもよい。
【００４３】
ステップ１０２では、同一写真検索が行われてステップ１０４へ移行する。すなわち、同一写真検索部３２によって、複数の撮影画像間の相関値を求めることによって、撮影の際に同一被写体を同時に複数のデジタルカメラ１４で撮影した基準撮影画像が検索される。
【００４４】
ステップ１０４では、同一写真があるか否か判定され、該判定が否定された場合には一連の処理を終了し、肯定された場合にはステップ１０６へ移行する。
【００４５】
ステップ１０６では、予め定めた基準のデジタルカメラ１４の基準撮影画像の撮影時刻に、他のデジタルカメラ１４の基準撮影画像の撮影時刻が修正されてステップ１０８へ移行する。この時、修正前の元の時刻についても保存するようにしてもよい。
【００４６】
ステップ１０８では、時刻修正量に応じて各デジタルカメラ１４の撮影画像の時刻が修正されて一連の処理を終了する。すなわち、時刻差算出部３４によって算出された時刻差に応じて、各デジタルカメラ１４の撮影時刻が時刻修正部３６によって修正される。なお、他の撮影画像の時刻修正についても元の時刻を保存するようにしてもよい。
【００４７】
本実施の形態では、例えば、図４に示すように、撮影開始、撮影中、撮影の終了の際等に、複数のデジタルカメラ１４で基準撮影画像となる撮影対象Ａを撮影し、撮影画像をパーソナルコンピュータ１２のＨＤＤ２２に設けた所定のフォルダに集約する。
【００４８】
撮影対象Ａの各撮影時刻が、図４では、カメラＡが１０：０６、カメラＢが９：５５、カメラＣが１０：２０であったとすると、撮影画像処理プログラムを実行することによって、予め基準に設定したカメラＡの撮影時刻に、他のカメラＢ、Ｃの時刻が図５に示すように修正される。
【００４９】
そして、各カメラの修正量に応じて、各カメラの撮影画像の撮影時刻が修正される。図５の例では、カメラＢでは、カメラＡとの時刻差が＋１１分なので、カメラＢの全ての撮影画像に対して＋１１分修正し、カメラＣでは、カメラＡとの時刻差が−１４分なので、カメラＣの全ての撮影画像に対して−１４分修正する。
【００５０】
これによって、各デジタルカメラ１４で撮影された複数の撮影画像を撮影時刻順に並べることが可能となる。
【００５１】
なお、上記の実施の形態では、パーソナルコンピュータ１２で撮影画像処理を行うことによって撮影時刻の修正を行うようにしたが、これに限るものではなく、複数のデジタルカメラ１４で撮影した撮影画像を集約して、デジタルカメラ１４に取り込んで撮影画像処理を行うようにしてもよい。
【図面の簡単な説明】
【００５２】
【図１】本発明の実施の形態に係わるコンピュータシステムの概略図である。
【図２】コンピュータの構成を示す図である。
【図３】本発明の実施の形態に係わるコンピュータシステムのパーソナルコンピュータで行われる処理の流れの一例を示すフローチャートである。
【図４】基準撮影画像の一例を説明するための図である。
【図５】撮影画像処理プログラムによる撮影時刻の修正の一例を説明するための図である。
【符号の説明】
【００５３】
１０    コンピュータシステム
１２    パーソナルコンピュータ
１４    デジタルカメラ
１６    ＣＰＵ
１８    ＲＯＭ
２２    ＨＤＤ
２４    通信Ｉ／Ｆ
３２    同一写真検索部
３４    時刻差算出部
３６    時刻修正部
【図１】
2009088677.tif 000003
【図２】
2009088677.tif 000004
【図３】
2009088677.tif 000005
【図４】
2009088677.tif 000006
【図５】
2009088677.tif 000007